(57)【要約】【課題】輝度を維持しつつ、表示装置における色温度の設定に応じて適切に輝度ムラ、色ムラを補正することができる補正方法及び該補正方法を実施する表示装置を提供する。【解決手段】各色成分の強度を表わす階調値への補正量に対して更に、補正度合いを示す補正係数を記憶しておき、最大強度に近い程補正を少なくする。更に、設定されている色温度における強度比率に応じて、階調値に対応する補正係数を調整する。例えば、色温度の設定により最大階調値が１９２の場合は、線Ｇ２に示す関係となるように補正係数を調整し、最大階調値が１２８の場合は線Ｇ３に示す関係となるように補正係数を調整する。調整後の補正係数に基づいて入力階調値の補正の度合いを調整して補正を行なう。これにより、階調値が最大階調値に近い場合は補正がゼロになり、階調値が充分小さい場合は完全に補正が行なわれる。【選択図】図７
2008310261.tif 000002
【特許請求の範囲】
【請求項１】
画像信号が表わす一又は複数の色成分毎の強度、及び表示画面の色温度の設定に従って画像を表示するに際し、画像信号が表わす強度、及び画像信号が相当する画像中における領域夫々に対応付けて、強度に対する補正量を記憶しておき、前記強度を該強度に対応付けて記憶してある前記補正量に基づいて補正する補正方法において、
前記補正量による補正度合いを示す補正係数を前記画像信号が表わす強度に対応付けて記憶しておき、
画像信号が表わす色成分毎の強度を、該強度に対応付けて記憶してある前記補正量及び前記補正係数に基づいて補正する
ことを特徴とする補正方法。
【請求項２】
前記色成分毎の強度は夫々階調値により表わす
ことを特徴とする請求項１に記載の補正方法。
【請求項３】
画像信号が表わす強度が、対応する色成分の最大強度に近い程、強度に対する補正が少なくなるように補正量又は補正係数を調整する
ことを特徴とする請求項１又は２に記載の補正方法。
【請求項４】
画像信号が表わす強度が、対応する色成分の最大強度に等しい場合、前記強度が補正されないようにすべく補正量又は補正係数を調整する
ことを特徴とする請求項１乃至３のいずれかに記載の補正方法。
【請求項５】
表示画像の色温度の設定に対応する色成分の強度比率を取得し、
取得した色成分の強度比率に応じて、前記画像信号が表わす各色成分の強度に対応付けて記憶してある前記補正量又は補正係数を調整し、
調整後の前記補正量及び補正係数に基づいて強度を補正する
ことを特徴とする請求項１乃至４のいずれかに記載の補正方法。
【請求項６】
表示画像の色温度の設定に対応する各色成分の最大強度を取得し、
前記強度比率は、前記最大強度の強度比から求める
ことを特徴とする請求項５に記載の補正方法。
【請求項７】
色温度の設定に対応する色成分毎の最大強度に対応付けて記憶してある補正量又は補正係数を読み出し、
画像信号が表わす各色成分の強度に対応付けて記憶してある補正量又は補正係数を読み出し、
読み出した二つの補正量又は補正係数の差分を算出し、
算出した差分を調整後の補正量又は補正係数とし、
前記強度を、該強度に対応付けて記憶してある補正量及び調整後の補正係数、又は調整後の補正量に基づいて補正する
ことを特徴とする請求項１乃至４のいずれかに記載の補正方法。
【請求項８】
画像信号が表わす強度に対応付けて記憶してある補正量又は補正係数を読み出し、
読み出した色成分毎の補正量又は補正係数の比率が、色温度の設定に対応する色成分の強度比率となるように前記補正量又は補正係数を調整し、
前記強度を、該強度に対応付けて記憶してある補正量及び調整後の補正係数、又は調整後の補正量に基づいて補正する
ことを特徴とする請求項１乃至４のいずれかに記載の補正方法。
【請求項９】
画像信号が表わす強度に対応付けて記憶してある補正量又は補正係数を読み出し、
読み出した色成分毎の補正量又は補正係数に夫々、色温度の設定に対応する色成分の強度比率に対応する係数を乗算し、
乗算結果を調整後の補正量又は補正係数とし、
前記強度を、該強度に対応付けて記憶してある補正量及び調整後の補正係数、又は調整後の補正量に基づいて補正する
ことを特徴とする請求項１乃至４のいずれかに記載の補正方法。
【請求項１０】
画像信号が表わす一又は複数の色成分毎の強度、及び表示画面の色温度の設定に従って画像を表示する手段と、画像信号が表わす強度及び画像信号が相当する画像中における領域夫々に対応付けて強度に対する補正量を記憶する手段と、前記強度を該強度に対応付けて記憶してある前記補正量に基づいて補正する手段とを備える表示装置において、
前記補正量による補正度合いを示す補正係数を前記画像信号が表わす強度に対応付けて記憶する手段を備え、
画像信号が表わす強度を、該強度に対応付けて記憶してある前記補正量及び前記補正係数に基づいて補正するようにしてあること
を特徴とする表示装置。
【請求項１１】
表示画像の色温度の設定に対応する各色成分の強度比率に応じて、画像信号が表わす各色成分の強度に対応付けて記憶されている前記補正量又は補正係数を調整する手段を備え、
調整後の前記補正量及び補正係数に基づいて強度を補正するようにしてあること
を特徴とする請求項１０に記載の表示装置。
【請求項１２】
画像表示手段に画像信号を出力する手段を備えるコンピュータに、画像信号が表わす一又は複数の色成分毎の強度及び表示画面の色温度の設定に従って前記画像表示手段に画像を表示させるステップ、画像信号が表わす強度及び画像信号が相当する画像中における領域に対応付けて、強度に対する補正量を記憶しておくステップ、及び、画像信号が表わす強度を該強度に対応付けて記憶してある前記補正量に基づいて補正するステップを実行させるコンピュータプログラムにおいて、
コンピュータに、
前記補正量による補正度合いを示す補正係数を前記画像信号が表わす強度に対応付けて記憶するステップ、及び、
画像信号が表わす強度を、該強度に対応付けて記憶してある前記補正量及び前記補正係数に基づいて補正するステップ
を実行させることを特徴とするコンピュータプログラム。
【請求項１３】
コンピュータに、
表示画像の色温度の設定に対応する各色成分の強度比率を取得するステップ、
取得した色成分の強度比率に応じて、前記画像信号が表わす各色成分の強度に対応付けて記憶してある前記補正量又は補正係数を調整するステップ、及び
調整後の前記補正量及び補正係数に基づいて強度を補正するステップ
を更に実行させることを特徴とするコンピュータプログラム。
【発明の詳細な説明】
【技術分野】
【０００１】
本発明は、表示装置の特性に応じて入力される画像信号が表わす各色成分の強度を補正して輝度ムラ、色ムラを補正する補正方法に関し、特に、輝度ムラを補正するために無駄に輝度レベルを落とすことなく輝度を維持しつつ、表示装置における色温度の設定に応じて適切に輝度ムラ、色ムラを補正することができる補正方法、該補正方法を実施する表示装置及びコンピュータを前記表示装置として機能させるコンピュータプログラムに関する。
【背景技術】
【０００２】
ＬＣＤ（Liquid Crystal Display）モニタ、ＰＤＰ（Plasma Display Panel）モニタ、有機ＥＬ（Electro Luminescence）モニタ等の表示装置は、ＬＣＤモニタであれば個々の製品の液晶パネルの特性、ＰＤＰモニタであれば素子毎の発光特性により、画面領域における空間的な輝度ムラ、色ムラが発生する。
【０００３】
輝度ムラに対する従来の補正方法として、表示装置では全般的に画面領域の中央部分と比較して周辺部分の輝度レベルが低下する傾向があることから、中央部分の輝度レベルを周辺部分の輝度レベルに相当するように低下させる方法が特許文献１に開示されている。具体的には、画面領域を複数の領域に区分し、画面全体で均一な輝度の階調値の画像信号を入力して実際の表示画面の各領域の輝度を測定し、周辺部分の輝度レベルを目標輝度とした場合に他の領域の輝度の階調値を補正する補正量を各領域毎に求める。さらに、入力する均一な輝度の階調値を段階的に変化させて同様に実際の輝度を測定し、階調値別に各領域毎の補正量を求める。求めた補正量を階調値毎及び各領域毎に記憶しておくことにより、実際の画像を表示させる際に各画素の輝度の階調値を補正量に基づいて補正し、中央部分の輝度レベルを周辺部分と同程度の輝度レベルに揃えて輝度ムラを抑えることができる。
【０００４】
図１１は、従来の輝度ムラに対する補正方法を概念的に示す説明図である。図１１の説明図では、３×３の９領域に区分された画面の各領域における（ａ）補正前の輝度レベル、（ｂ）各領域に対応付けられる補正量、（ｃ）補正後の輝度レベルを模式的に水平に並べて示す画面上に表わし、夫々を輝度の階調値別に３層に重ねて表わしている。最下層は輝度の階調値が１９２である場合、中層は階調値が２２４である場合、最上層は階調値が２５５である場合の補正前の輝度レベル、補正量、補正後の輝度レベルを夫々表わしている。
【０００５】
図１１（ａ）は、実際に測定した輝度に基づき、中央部分の輝度レベルを１００として各領域の輝度レベルを示したものである。図１１（ａ）には例えば、画面全体に輝度の階調値が２５５に相当する単一色の画像信号を入力した場合の実際の表示画面の輝度レベルが、中央部分の輝度レベルと比較して周辺部分で低下することが示されている。同様に、輝度の階調値が２２４、１９２に相当する画像信号を入力した場合も、周辺部分の輝度レベルが中央部分の輝度レベルと比較して８割から９割と低下することが示されている。
【０００６】
図１１（ｂ）は、各領域の輝度レベルに対する補正量を百分率で示している。例えば、図１１（ｂ）の内の輝度の階調値が２５５である場合の補正量は、中央部分の輝度レベル１００を周辺部分の輝度レベル８０に相当させるために、輝度レベルを２０％低下させる補正が必要であることが示されている。また、輝度レベルが９５の領域の入力階調値には輝度レベルを１６％低下させるための補正が必要であることが示されている。
【０００７】
図１１（ｃ）は、図１１（ｂ）に示した補正量によって補正された後の各領域の輝度レベルを示している。画面全体に輝度の階調値が２５５に相当する単一色の画像信号を入力した場合は、図１１（ｂ）に示した補正量によって補正前の中央部分の輝度レベルを１００として全領域で輝度レベルが８０に均一化される結果が表わされている。
【０００８】
色ムラに対する補正方法については、色成分の空間的な不均一性、例えば画面の右側よりも左側の領域が赤色成分が強く表示される等の特性を予め色成分毎に求め、不均一性を相殺するような補正量を記憶部に記憶しておき、画像を表示するに際し色成分毎に補正量を用いて補正する技術が開示されている（特許文献２）。
【特許文献１】特開２００７−１１４４２７号公報
【特許文献２】特開平５−１９７３５７号公報
【発明の開示】
【発明が解決しようとする課題】
【０００９】
従来の輝度ムラの補正方法により、輝度ムラを抑えることができるが、図１１（ｃ）に示したように画面全体として輝度レベルが低下される。したがって、高輝度が要求される表示装置に対して図１１の説明図に示した補正方法を適用することは難しい。
【００１０】
また、色ムラの補正においても、上述のような従来の輝度ムラに対する補正方法を各色成分の強度夫々について適用することも可能である。色成分毎に強度に対する補正量を記憶しておき、各強度を補正量に基づいて補正することにより、画面全体で色の均一化を図ることが可能になる。しかしながら、色ムラの補正でも各色成分の強度を領域毎に、強度が低い領域に揃えるように補正するのでは、結果的に輝度レベルが低下することになる。
【００１１】
本発明は斯かる事情に鑑みてなされたものであり、画像信号が表わす色成分毎の強度の補正量に対する補正度合いを示す補正係数を記憶しておき、補正係数によって補正量を加減して強度を補正する構成とすることにより、輝度を維持しつつ、輝度ムラ及び色ムラの補正を適切に行なうことができる補正方法、表示装置及びコンピュータプログラムを提供することを目的とする。
【００１２】
本発明の他の目的は、各色成分の強度が最大強度に近い程、補正が少なくなるように各色成分の強度に対する補正量又は補正係数を調整することにより、各色成分の強度が最大強度に等しい場合に補正しないようにしたときの色ムラ、輝度ムラの顕現化を抑え、輝度を維持しつつ、輝度ムラ、色ムラの補正を適切に行なうことができる補正方法を提供することにある。
【００１３】
本発明の他の目的は、各色成分の強度が最大強度に等しい場合は補正しないようにすることにより、輝度を維持しつつ輝度ムラ、色ムラの補正を適切に行なうことができる補正方法を提供することにある。
【００１４】
本発明の他の目的は、色温度の設定に対応する各色成分の強度比率に応じて、記憶した補正量又は補正係数を調整し、調整後の補正係数及び補正係数に基づいて補正を行なう構成により、各色成分の強度が色温度の設定に応じた最大強度に夫々近い程、その強度に対する補正の度合いが少なくなるように補正量を再設定すべきことを考慮して、輝度ムラ、色ムラの補正を色温度に応じて適切に行なうことができる補正方法、表示装置及びコンピュータプログラムを提供することを目的とする。
【００１５】
本発明の他の目的は、各色成分の強度が、設定されている色温度における最大強度に近い程補正が少なくなるように、更に等しい場合は補正しないように補正量又は補正係数の差分によって補正の度合いを調整することにより、輝度を維持しつつ、色温度に応じた輝度ムラ、色ムラの補正を適切に行なうことができる補正方法を提供することにある。
【００１６】
本発明の他の目的は、設定されている色温度に応じて色成分の強度比が低い場合には、画像信号が表わす色成分の強度が低いときでも過度に補正を行なわないよう補正量又は補正係数の比率を強度比に相当させることにより、輝度レベルを無駄に落とすことなく色温度に応じた輝度ムラ、色ムラの補正を適切に行なうことができる補正方法を提供することにある。
【課題を解決するための手段】
【００１７】
第１発明に係る補正方法は、画像信号が表わす一又は複数の色成分毎の強度、及び表示画面の色温度の設定に従って画像を表示するに際し、画像信号が表わす強度、及び画像信号が相当する画像中における領域夫々に対応付けて、強度に対する補正量を記憶しておき、前記強度を該強度に対応付けて記憶してある前記補正量に基づいて補正する補正方法において、前記補正量による補正度合いを示す補正係数を前記画像信号が表わす強度に対応付けて記憶しておき、画像信号が表わす色成分毎の強度を、該強度に対応付けて記憶してある前記補正量及び前記補正係数に基づいて補正することを特徴とする。
【００１８】
第２発明に係る補正方法は、前記色成分毎の強度は夫々階調値により表わすことを特徴とする。
【００１９】
第３発明に係る補正方法は、画像信号が表わす強度が、対応する色成分の最大強度に近い程、強度に対する補正が少なくなるように補正量又は補正係数を調整することを特徴とする。
【００２０】
第４発明に係る補正方法は、画像信号が表わす強度が、対応する色成分の最大強度に等しい場合、前記強度が補正されないようにすべく補正量又は補正係数を調整することを特徴とする。
【００２１】
第５発明に係る補正方法は、表示画像の色温度の設定に対応する色成分の強度比率を取得し、取得した色成分の強度比率に応じて、前記画像信号が表わす各色成分の強度に対応付けて記憶してある前記補正量又は補正係数を調整し、調整後の前記補正量及び補正係数に基づいて強度を補正することを特徴とする。
【００２２】
第６発明に係る補正方法は、表示画像の色温度の設定に対応する各色成分の最大強度を取得し、前記強度比率は、前記最大強度の強度比から求めることを特徴とする。
【００２３】
第７発明に係る補正方法は、色温度の設定に対応する色成分毎の最大強度に対応付けて記憶してある補正量又は補正係数を読み出し、画像信号が表わす各色成分の強度に対応付けて記憶してある補正量又は補正係数を読み出し、読み出した二つの補正量又は補正係数の差分を算出し、算出した差分を調整後の補正量又は補正係数とし、前記強度を、該強度に対応付けて記憶してある補正量及び調整後の補正係数、又は調整後の補正量に基づいて補正することを特徴とする。
【００２４】
第８発明に係る補正方法は、画像信号が表わす強度に対応付けて記憶してある補正量又は補正係数を読み出し、読み出した色成分毎の補正量又は補正係数の比率が、色温度の設定に対応する色成分の強度比率となるように前記補正量又は補正係数を調整し、前記強度を、該強度に対応付けて記憶してある補正量及び調整後の補正係数、又は調整後の補正量に基づいて補正することを特徴とする。
【００２５】
第９発明に係る補正方法は、画像信号が表わす強度に対応付けて記憶してある補正量又は補正係数を読み出し、読み出した色成分毎の補正量又は補正係数に夫々、色温度の設定に対応する色成分の強度比率に対応する係数を乗算し、乗算結果を調整後の補正量又は補正係数とし、前記強度を、該強度に対応付けて記憶してある補正量及び調整後の補正係数、又は調整後の補正量に基づいて補正することを特徴とする。
【００２６】
第１０発明に係る表示装置は、画像信号が表わす一又は複数の色成分毎の強度、及び表示画面の色温度の設定に従って画像を表示する手段と、画像信号が表わす強度及び画像信号が相当する画像中における領域夫々に対応付けて強度に対する補正量を記憶する手段と、前記強度を該強度に対応付けて記憶してある前記補正量に基づいて補正する手段とを備える表示装置において、前記補正量による補正度合いを示す補正係数を前記画像信号が表わす強度に対応付けて記憶する手段を備え、画像信号が表わす強度を、該強度に対応付けて記憶してある前記補正量及び前記補正係数に基づいて補正するようにしてあることを特徴とする。
【００２７】
第１１発明に係る表示装置は、表示画像の色温度の設定に対応する各色成分の強度比率に応じて、画像信号が表わす各色成分の強度に対応付けて記憶されている前記補正量又は補正係数を調整する手段を備え、調整後の前記補正量及び補正係数に基づいて強度を補正するようにしてあることを特徴とする。
【００２８】
第１２発明に係るコンピュータプログラムは、画像表示手段に画像信号を出力する手段を備えるコンピュータに、画像信号が表わす一又は複数の色成分毎の強度及び表示画面の色温度の設定に従って前記画像表示手段に画像を表示させるステップ、画像信号が表わす強度及び画像信号が相当する画像中における領域に対応付けて、強度に対する補正量を記憶しておくステップ、及び、画像信号が表わす強度を該強度に対応付けて記憶してある前記補正量に基づいて補正するステップを実行させるコンピュータプログラムにおいて、
コンピュータに、前記補正量による補正度合いを示す補正係数を前記画像信号が表わす強度に対応付けて記憶するステップ、及び、画像信号が表わす強度を、該強度に対応付けて記憶してある前記補正量及び前記補正係数に基づいて補正するステップを実行させることを特徴とする。
【００２９】
第１３発明に係るコンピュータプログラムは、コンピュータに、表示画像の色温度の設定に対応する各色成分の強度比率を取得するステップ、取得した色成分の強度比率に応じて、前記画像信号が表わす各色成分の強度に対応付けて記憶してある前記補正量又は補正係数を調整するステップ、及び調整後の前記補正量及び補正係数に基づいて強度を補正するステップを更に実行させることを特徴とする。
【００３０】
本発明では、強度及び領域に対応付けて記憶してある補正量に基づいて単に補正を行なわず、強度及び領域に対応付けて補正量に対する補正度合いを示す補正係数が更に記憶され、強度の補正の際には補正量のみならず、補正量に対する補正度合いも考慮されて補正が行なわれる。なお、本発明では各色成分の強度は階調値で表わされてもよい。
【００３１】
本発明では、強度がその色成分の最大強度に近い程、強度に対する補正が少なくなるように調整がされる。強度が低い値であっても最大強度に近い場合は、補正の量が少なくなる。
【００３２】
本発明では、強度がその色成分の最大強度に等しい場合、強度に対する補正が行なわれないように調整される。画像信号が最大輝度に相当する場合は補正は行なわれない。
【００３３】
本発明では更に、強度及び領域に対応付けて記憶してある補正量及び補正係数に対し、色温度の設定に対応した各色成分の強度比率に応じて適宜補正量又は補正係数の調整が行なわれ、調整後の補正量及び補正係数に基づいて各色成分の強度の補正が行なわれる。
【００３４】
本発明では、色温度の設定に対応した各色成分の強度比率は、各色成分の最大強度が取得され、その最大強度の比から求められる。
【００３５】
本発明では、最大強度に対応付けられている補正量又は該補正量による補正度合いを示す補正係数と、強度に対応付けられている補正量又は補正係数との差分が算出される。算出される補正量又は補正係数の差分は、強度が、設定されている色温度における最大強度に近い程小さい値となる。補正量又は補正係数の差分を調整後の補正量又は補正係数とすることにより、強度に対応付けられている補正量による補正度合いを、設定されている色温度における最大強度に近い程小さくすることが可能になる。また、画像信号が表わす強度が、設定されている色温度における最大強度と等しい場合は、算出される差分はほぼゼロになるので、補正量がほぼゼロとなり、補正がされないように調整することが可能となる。
【００３６】
本発明では、画像信号が表わす各色成分の強度夫々に対応付けられている補正係数の比率が、設定されている色温度に対応する色成分の強度比率に相当するように調整される。画像信号が表わす強度が低い場合でも、色温度の設定により強度比率も他の色成分よりも低いときは、その色成分の強度に対応する補正係数も、補正の度合いが少なくなるように調整される。
【００３７】
本発明では、画像信号が表わす各色成分の強度夫々に対応付けられている補正係数に、設定されている色温度に対応する色成分の強度比率が係数として乗算されて調整される。これにより、色温度の設定により強度比率が他の色成分よりも低い色成分の強度については、その強度が低い場合でも補正の度合いが少なくなるように調整される。
【発明の効果】
【００３８】
本発明による場合、画像信号が表わす各色成分の強度が、実測のムラに基づく補正量のみならず補正量に対する補正度合いを示す補正係数をも考慮し、各色成分の強度が最大強度に近い場合に過度に補正しないよう補正係数により補正量が加減されて補正されることにより、無駄に輝度レベルを落とすことなく輝度を維持して輝度ムラ、色ムラの補正を適切に行なうことができる。
【００３９】
本発明による場合、画像信号が表わす各色成分の強度が、最大強度に近い程、補正量が少なくなるように調整されることにより、無駄に輝度レベルを落とすことなく輝度を維持しつつ、且つ各色成分の強度が最大輝度レベルに相当する場合は補正が行なわれないことによる輝度ムラ及び色ムラが顕現化することを回避して適切に補正を行なうことができる。
【００４０】
本発明による場合はまた、画像信号が表わす各色成分の強度が最大強度に等しいときは補正しないようにすることができ、逆に、最大強度に対して充分に小さい強度である場合は補正度合いを大きくしてできる限り補正することができる。これにより、輝度を維持しつつ適切に補正を行なうことができる。
【００４１】
本発明による場合、色温度の設定に対応して各色成分の最大強度が異なる場合は、各色成分に対する補正の度合いを、夫々最大強度に近い程少なくなるように夫々色成分毎に再設定すべきであることを考慮して補正を行なうことができる。
【００４２】
また、本来は色温度の設定別に必要な強度及び領域毎に補正量を予め測定して記憶しておくことなく、一の色温度の設定下で実測に基づき求めた補正量を、他の色温度の設定下でも適宜補正量又は補正係数の調整により対応させることができる。したがって、予め測定する情報量及び記憶しておく情報量を低減させ、色温度の設定に柔軟に応じて輝度ムラ、色ムラの補正を対応させることが可能になる。
【００４３】
本発明による場合、画像信号が表わす各色成分の強度が夫々の最大強度に近い程、補正係数又は補正量が少なくなる。これにより、最大輝度を維持しつつ、且つ各色成分の強度が最大輝度レベルに相当する場合は補正が行なわれないことによる輝度ムラ及び色ムラが顕現化することを回避し、適切な補正を行なうことができる。
【００４４】
本発明による場合、画像信号が表わす一の色成分の強度が低い場合でも、色温度の設定に応じてその強度比率が他の色成分よりも低いときは補正の度合いが少なくなる。これにより、色温度に応じて過度に補正が行なわれないようにすることができ、輝度レベルを無駄に落とすことなく適切に輝度ムラ、色ムラの補正を行なうことができる。
【発明を実施するための最良の形態】
【００４５】
以下、本発明をその実施の形態を示す図面に基づいて具体的に説明する。
【００４６】
（実施の形態１）
図１は、本発明に係る表示装置の構成を示すブロック図である。表示装置１は、後述する画像信号出力装置２からの画像信号の入力を受け付けるインタフェースである入力部１１と、画像信号が表わす各色成分の強度を表わす階調値を適宜変換する変換部１２と、輝度ムラ及び色ムラを補正するムラ補正部１３と、補正後の階調値を表示部１５に出力する出力部１４と、ＬＣＤパネル、ＰＤＰパネル等とそれらを駆動する駆動回路を含む表示部１５と、各情報を記憶する書き換え可能な記憶部１６と、各構成部を制御するＣＰＵ、ＭＰＵ等である制御部１０とを備えている。変換部１２、ムラ補正部１３及び出力部１４はＡＳＩＣ（Application Specific Integrated Circuit；特定用途集積回路）で構成されている。
【００４７】
画像信号出力装置２は、ＰＣ（Personal Computer）、テレビ用チューナー、ＤＶＤ（Digital Versatile Disc）プレーヤー、ゲーム機等の画像信号を出力する装置である。表示装置１は、画像信号出力装置２から出力される制御信号及び画像信号を入力部１１により受け付け、画像信号が表わす各画素の各色成分、又は輝度及び色差の階調値に基づき、表示部１５に対応する画像信号を出力部１４により出力し、表示部１５に画像を表示させる。
【００４８】
制御部１０は画像信号出力装置２からの制御信号、又は表示装置１自体に備えられた図示しないインタフェースにより受け付けられた制御信号により色温度の設定を受け付ける。制御部１０は色温度の設定を表わす信号を変換部１２及びムラ補正部１３へ入力する。変換部１２及びムラ補正部１３は制御信号を受け付けることにより、表示装置１で設定されている色温度に応じた処理を行なう。
【００４９】
変換部１２では、表示部１５に表示させる画像を構成する各画素の色成分をＲ（Red：赤成分）Ｇ（Green：緑成分）Ｂ（Blue：青成分）で表わし、且つそのＲＧＢ夫々の階調値（Ｒ，Ｇ，Ｂ）を８ビット、即ち０から２５５までの２５６段階で表わした２４ビットのＲＧＢ信号の入力を受け付ける。したがって入力部１１は、入力部１１で受け付ける画像信号の種類によってはアナログ／デジタル変換の機能、ＲＧＢ信号へ変換する機能等を有していてもよい。なお、変換部１２が受け付ける画像信号は上述のような２４ビットのＲＧＢ信号とは限らず、他の色成分を含む信号でもよく、更に、変換処理によっては例えば各色成分を１０ビット、１４ビット等で表わした画像信号でもよい。
【００５０】
変換部１２は、入力部１１を介して入力された各色成分の階調値を適宜変換して出力する。変換部１２には色空間の変換のための係数（カラーマトリックス）が複数用意されている。変換部１２は制御部１０からの指示に応じた係数を用い、入力された各色成分の入力階調値に対する変換を実行する。変換部１２に用意されている係数には、入力される各色成分の階調値Ｒ，Ｇ，Ｂを色温度の設定に応じた強度比率となるように変換するための係数が含まれている。
【００５１】
例えば変換部１２は、夫々０から２５５までの２５６段階の階調値で表わされるＲＧＢ信号の入力を受け付ける場合に、色温度がＲ，Ｇ，Ｂ夫々の最大階調値（Ｔｒ，Ｔｇ，Ｔｂ）＝（２５５，１９２，１２８）となるように設定されたときは、入力される各ＲＧＢ成分の階調値を（１（＝２５５／２５５），０．７５（＝１９２／２５５），０．５（＝１２８／２５５））の係数により変換して比率を変更する。この場合、入力されるＲＧＢ成分の階調値が（Ｒ，Ｇ，Ｂ）＝（１９２，１７０，１２８）であるときは、変換部１２により（Ｒ’，Ｇ’，Ｂ’）＝（１９２，１２８，６４）へ変更される。
【００５２】
ムラ補正部１３は、変換部１２から出力された各色成分の階調値（Ｒ’，Ｇ’，Ｂ’）に対し、輝度ムラ及び色ムラの補正を行なって出力する。ムラ補正部１３が変換部１２の後段に配置されるのは、色空間の変換がされた上でムラ補正を行なう必要があるからである。ムラ補正部１３は、本発明に係る補正方法を実施するために後述の記憶部１６に記憶されている補正量Ｃｒ，Ｃｇ，Ｃｂ、補正量による補正度合いを示す補正係数Ｋｒ，Ｋｇ，Ｋｂ、及びセンター輝度を基準としたムラ量を読み出し、それらを使用して補正を行なう。ムラ補正の詳細については後述にて説明する。
【００５３】
記憶部１６には、ムラ補正部１３により使用される各色成分に対する補正量、補正係数、センター輝度を基準としたムラ量が記憶されている。本発明では、補正量のみならず補正量に対する補正度合いを示す補正係数を記憶しておくことにより、輝度レベルが高い場合には補正量を少なくし、輝度レベルを無駄に落とすことなく輝度ムラ、色ムラを補正する。
【００５４】
図２は、本発明に係る補正方法の補正係数による補正量の加減のされ方を模式的に示す説明図である。図２は、従来技術について説明した図１０と同様に、模式的に本発明の補正方法の概要を示しており、３×３の９領域に区分された画面の各領域における（ａ）補正前の輝度レベル、（ｂ）各領域に対応付けられる補正量、（ｃ）補正量による補正度合いを示す補正係数、（ｄ）補正係数が加味された補正量、（ｅ）補正後の輝度レベルを模式的に水平に並べて示す画面上に表わし、夫々を階調値別に３層に重ねて表わしている。
【００５５】
図２（ｃ）に示す補正係数は、階調値が最大階調値に近づく程、補正を少なくするための係数である。例えば、図２（ｂ）に示すように入力された階調値が２５５である場合、この階調値に対しては、中央部分の輝度レベルと周辺部分の輝度レベルとを同程度に相当させるために輝度レベルを２０％低下させるべく補正量が記憶されている。しかし、この場合、階調値が最大階調値であるため階調値を補正しないように０％と記憶されている。また、階調値が２２４である場合、中央部分の領域に対応付けて輝度レベルを２０％低下させるための補正量が記憶されているが、補正係数は補正量を少なくするために８０％と記憶されている。これにより、図２（ｄ）に示すように、階調値が２２４である場合は、中央部分の階調値については、輝度レベルを１６％（２０％×８０％）低下させる程度に補正する。一方で、階調値が１９２である場合は、中央部分は輝度レベルを２０％低下させる補正量が記憶されており、補正係数を１００％として目標輝度レベルまで完全に補正するように調整される。
【００５６】
なお、図２の説明図では、中央部分の輝度レベルを周辺部分の輝度レベルに揃えるように低下させることにより補正を行なうように説明した。しかしながら、本発明はこれに限らず、補正量、即ち輝度レベルの変化量に応じて輝度レベルを上げることにより、輝度レベルが均一化するように補正を行なってもよい。
【００５７】
このように、補正係数を使用して階調値に対する補正量に傾斜をつけることにより、図２の説明図では最大輝度に相当する階調値が入力された場合の輝度を維持しつつ、更に、この場合に補正が行なわれないことによる色ムラ、輝度ムラを顕現化させないよう、最大輝度に近い輝度に相当する階調値が入力された場合は補正を緩めることが可能となる。
【００５８】
なお、本実施の形態１では、表示装置１に入力される画像信号はＲＧＢの色成分の強度夫々階調値で表わすカラー信号である。したがって、本実施の形態１ではＲＧＢ成分夫々に対し、その階調値毎及び区分された各領域毎に、補正量及び補正係数が対応付けられて記憶されている。
【００５９】
図３は、本発明に係る表示装置１の記憶部１６に記憶されている補正量の例を模式的に示す説明図である。図３の説明図は、各ＲＧＢ成分の階調値別に、区分された各領域毎における実測輝度に基づく目標輝度への変化量により、補正量Ｃｒ，Ｃｇ，Ｃｂを示している。図３の説明図では、ムラ補正部１３に入力されたＲ成分の階調値Ｒ’が領域Ａ１に含まれる画素の階調値であり、且つ階調値Ｒ’が２５５である場合は補正量Ｃｒは１０％であり、階調値Ｒ’が１９２である場合は補正量Ｃｒは５％であることが示されている。また、入力されたＲ成分の階調値Ｒ’が領域Ａ２に含まれる画素の階調値であり、且つ階調値Ｒ’が２５５である場合は補正量Ｃｒは２０％であり、階調値Ｒ’が１９２である場合は補正量Ｃｒは２５％であることが示されている。なお、階調値が２５５，１９２，１２８，６４以外である場合については図示を省略しているが、全階調値に対応付けて補正量を記憶してもよい。
【００６０】
ムラ補正部１３は、入力されたＲ成分の階調値Ｒ’が、領域Ａ１に含まれる画素の階調値であり階調値Ｒ’が２５５である場合は、図３の説明図に示した補正量Ｃｒ＝１０％を記憶部１６から読み出し、基本的には、その読み出した補正量Ｃｒ＝１０％に基づき、入力されたＲ成分の階調値Ｒ’を、輝度を１０％増減させるに相当する分増加又は減少させることにより補正する。
【００６１】
図４は、本発明に係る表示装置１の記憶部１６に記憶されている補正係数の例を模式的に示す説明図である。補正係数Ｋｒ，Ｋｇ，Ｋｂは、入力される階調値Ｒ’，Ｇ’，Ｂ’が最大階調値Ｔｒ，Ｔｇ，Ｔｂに近づくにつれて補正量Ｃｒ，Ｃｇ，Ｃｂによる補正の度合いを小さくするための係数であり、入力される階調値に対応付けて各領域毎に記憶されている。図４の説明図は、入力される階調値Ｒ’，Ｇ’，Ｂ’が２５５である場合は、いずれの色成分の階調値であっても、いずれの領域に含まれる画素の階調値であっても、補正係数Ｋｒ，Ｋｇ，Ｋｂは０％であり、入力階調値Ｒ’，Ｇ’，Ｂ’が１９２である場合は同様に補正係数Ｋｒ，Ｋｇ，Ｋｂは３２％、入力階調値Ｒ’，Ｇ’，Ｂ’が１２８である場合は同様に補正係数Ｋｒ，Ｋｇ，Ｋｂは６６％、入力階調値Ｒ’，Ｇ’，Ｂ’が６４以下である場合は同様に補正係数Ｋｒ，Ｋｇ，Ｋｂは１００％である。なお、図４の説明図でも、階調値２５５，１９２，１２８，６４以外の階調値については図示を省略しているが、全階調値に対応付けて補正係数を記憶してもよい。
【００６２】
図５は、本発明に係る表示装置１の記憶部１６に記憶されているムラ量の例を模式的に示す説明図である。図５の説明図は、画面全体に単一色（白色）の画像信号を入力した場合の、センター領域の輝度を基準とした各領域の輝度の低下率によりムラ量を示している。図５の説明図では、画面全体に輝度の階調値が２５５に相当する単一色の画像信号を入力した場合の、領域Ａ１におけるムラ量は８５％であり、領域Ａ２におけるムラ量は同様に８０％であることが示されている。また、画面全体に輝度の階調値が１９２に相当する単一色の画像信号を入力した場合の領域Ａ１におけるムラ量は９０％であり、領域Ａ２におけるムラ量は８０％であることが示されている。
【００６３】
ムラ補正部１３は、入力される各色成分の階調値に対応する輝度の階調値が２５５であり、その輝度の階調値が領域Ａ１に含まれる画素の階調値である場合にムラ量が８５％であることを読み出す。８５％というムラ量は、そのまま表示部１５で表示させたときは領域Ａ１における輝度レベルが、センター領域の輝度を基準として８５％の輝度レベルとなることから、センター輝度との差分に相当する分、輝度を補正するために各色成分の階調値夫々の補正が必要であることを示す。
【００６４】
図２乃至図５の説明図では補正量、補正係数及び目標輝度に対するムラ量を夫々百分率で表わした数値により模式的に示した。しかしながら、実際の装置では演算処理の軽減、高速化のために、例えば入力階調値と同様に８ビットの数値でそれらを表わして記憶しておき、加減算及びシフト演算により適切に補正後のＲＧＢ信号を出力することができるようにしてある。
【００６５】
また、図２乃至図５の説明図では、階調値２５５，１９２，１２８，６４の６４階調ステップで補正量、補正係数及びムラ量を対応付けて記憶してあることを示し、他の階調値については図示を省略した。他の階調値については上述のように全階調値に対応付けて補正量、補正係数及びムラ量を記憶するようにしてもよいし、ムラ補正部１３又は制御部１０が補間によって補正量、補正係数及びムラ量を求める構成でもよい。また、ムラ補正部１３は、入力された階調値の値が含まれる範囲の上限又は下限の階調値に対応付けられた補正量、補正係数及びムラ量を読み出す構成、つまり、例えば階調値が２２４である場合は階調値２５５又は１９２いずれかに対応付けられた補正量、補正係数及びムラ量を読み出すようにしてある構成でもよい。
【００６６】
なお、輝度ムラ、色ムラは個々の表示装置１の表示部１５の特性によって異なるので、図３及び図５の説明図に示した補正量及びムラ量は、表示装置１の製造工程で実際に輝度ムラ、色ムラを測定した結果に基づいて記憶される。
【００６７】
図３乃至図５の説明図に示した各情報に基づいて、入力される各ＲＧＢ成分の階調値の補正する方法の概要について説明する。入力されるＲＧＢ信号が表わす領域Ａ１に含まれる画素の各ＲＧＢ成分の階調値Ｒ，Ｇ，Ｂが、夫々（Ｒ，Ｇ，Ｂ）＝（２５５，２５５，２５５）であり変換部１２に入力され、色温度の設定に対応させて変換部１２により（Ｒ’，Ｇ’，Ｂ’）＝（２５５，１９２，１２８）に変換されて出力された後に、記憶してある補正量、補正係数を単に使用して補正する場合について説明する。
【００６８】
領域Ａ１に含まれる画素のＲ成分の階調値Ｒ’が２５５であるので、図３に示したように補正量Ｃｒは１０％であるが、補正係数Ｋｒが０％であるために補正は行なわれない。Ｇ成分の階調値Ｇ’は１９２であるので補正量Ｃｇは１５％であり、補正係数Ｋｇは３２％であるから４．８％（＝Ｃｇ×Ｋｇ）補正されることになる。Ｂ成分の階調値Ｂ’は１２８であるので補正量Ｃｂは２５％であり、補正係数Ｋｂは６６％であるから１６．５％（＝Ｃｂ×Ｋｂ）補正されることになる。
【００６９】
色温度の設定によりＲＧＢ成分が（Ｒ’，Ｇ’，Ｂ’）＝（２５５，１９２，１２８）に変換され、各ＲＧＢ成分は設定されている色温度に応じた最大階調値に等しいので、本来はいずれも補正しないことが望ましい。しかしながら、上述のように単に、対応付けてある補正量Ｃｒ，Ｃｇ，Ｃｂ及び補正係数Ｋｒ，Ｋｇ，Ｋｂに基づいて補正した場合、本来は白を表示させるべきであるにも拘らず、色温度の設定に対応させた色バランスよりも余計にバランスが崩れて逆に色ムラが生じてしまう可能性がある。
【００７０】
そこで本発明では更に、ムラ補正部１３又は制御部１０の処理により補正係数Ｋｒ，Ｋｇ，Ｋｂを色温度の設定に応じて調整し、ムラ補正部１３は調整後の補正係数Ｋｒ’，Ｋｇ’，Ｋｂ’により補正量Ｃｒ，Ｃｇ，Ｃｂによる補正度合いに傾斜をつけて、図２に示したように入力階調値Ｒ’，Ｇ’，Ｂ’の補正を行なう。
【００７１】
以下に補正係数の調整処理の概要について説明する。
【００７２】
本発明では、後述の図６に示すように、０から２５５までの階調値の範囲に対応付けられている補正係数を、０から設定されている色温度における最大階調値までの範囲に投影するように調整し、最大階調値に近い程補正が少なくなるようにする。
【００７３】
図６は、本発明に係る補正方法によって補正される各色成分の階調値を模式的に示す説明図である。図６（ａ）は、従来の補正方法によって補正される各色成分の階調値を模式的に示しており、図６（ｂ）は、本発明に係る補正方法によって補正される各色成分の階調値を模式的に示している。図６（ａ）（ｂ）はいずれも、ムラ補正部１３へ入力される各色成分の階調値の範囲、各階調値に対応付けられている補正係数の範囲、対応する補正係数によって補正された後にムラ補正部１３から出力される各色成分の階調値の範囲、及び、ムラ補正部１３から出力された各色成分の階調値を、０から２５５までの２５６段階の範囲に再度投影した場合の階調値の範囲を示している。
【００７４】
図６（ａ）に示すように調整前の補正係数を使用して補正した場合は、入力された階調値が最大階調値に相当しているにも拘わらず補正がされてしまい、変換部１２により変換される前の階調値が等しい場合でも補正の度合いが色成分によって異なり、色ムラが発生する可能性があることが模式的に示されている。
【００７５】
図６（ｂ）では、０から２５５までの範囲の階調値に対応付けられていた補正係数が、設定されている色温度における最大階調値までの範囲の階調値に投影されていることが示されている。このように調整後の補正係数を使用して補正した場合は、設定されている色温度における最大階調値に対応させた補正係数により補正量に傾斜がつけられて最大輝度を維持しつつ、適切に色ムラ、輝度ムラの補正が行なわれることが示されている。
【００７６】
なお、図６の説明図では、最大階調値に対応させて補正係数の０％から１００％までの変化全体の目盛りを縮小するように示しているが、この場合も、設定されている色温度における最大階調値が２５５又は１２８であっても、入力階調値が例えば６４である場合は補正の度合いが１００％となるように調整することが望ましい。
【００７７】
本発明の補正方法による場合、色温度の設定に応じて階調値の比率が変更されても、変換部１２による変換前の階調値が同一であればほぼ等しい補正係数により補正することが可能になる。例えば、階調値１９２に対する補正係数は８０％であるとする。変換部１２に入力される緑成分の階調値Ｇが１９２である場合、色温度によってＲＧＢの階調範囲が（０〜２５５，０〜２２４，０〜１９２）と変換される場合、入力された階調値Ｇ＝１９２は、１９２×２２４／２５５＝１６８に変更される。階調値１６８に対する補正係数が１００％である場合、そのまま補正係数を使用して補正すると補正が過剰になりその領域だけ青みがかったようになる可能性がある。しかしながら、もともとの階調値１９２は２５６階調における１９２であり、変更後の階調値１６８も２２４階調における１６８であることを考慮して、例えば１９２／２５５＝１６８／２２４＝３／４＝０．７５の場合は補正係数を８０％とするように割合に応じて調整することにより、色温度の設定に応じた補正係数、補正量を使用して補正が可能である。なお、前記割合はオフセット値を用いて求め、（入力階調値−６４）／（最大階調値−６４）の割合に応じて補正係数を調整するようにしてもよい。
【００７８】
この場合、例えばグレー（Ｒ，Ｇ，Ｂ）＝（１９２，１９２，１９２）の画像を表示すべく画像出力装置２からＲＧＢ信号が入力された場合、色温度が最大階調値が（Ｔｒ，Ｔｇ，Ｔｂ）＝（２５５，２２４，１９２）となるように設定されている場合、階調値は変換部１２により（Ｒ’，Ｇ’，Ｂ’）＝（１９２，１６８，１４４）に変換される。これに対し等しい値の補正係数を使用するべきところ、単に（１９２，１６８，１４４）に対応付けられている補正係数を使用した場合、Ｂ成分のみ大きく補正され、青みがかったグレー又は赤みがかったグレーに補正されてしまい、逆に色ムラが発生してしまう。しかしながら上述のように最大階調値に対する入力階調値の割合に応じて補正係数が調整することにより、各色成分でほぼ等しい補正係数を使用することができ、色ムラの発生を回避して色温度の設定に応じて適切な輝度ムラ、色ムラの補正を行なうことができる。
【００７９】
図７は、本発明に係る補正方法によって調整される補正係数と入力階調値との関係を示すグラフである。図７の横軸は変換部１２から入力される変換後の階調値、縦軸は補正の度合いを示す補正係数を表わしている。線Ｇ１は色温度の設定により最大階調値が２５５である場合の入力階調値に対する補正係数を示し、線Ｇ２は最大階調値が１９２である場合の入力階調値に対する補正係数を示し、線Ｇ３は最大階調値が１２８である場合の入力階調値に対する補正係数を示している。
【００８０】
従来の補正方法では、最大階調値が１９２又は１２８である場合であっても、線Ｇ１に示される関係に従って入力階調値に対応する補正係数が使用された。一方、本発明の補正方法による場合は、設定されている色温度における最大階調値に応じて入力階調値に対応する補正係数の関係は、線Ｇ２又は線Ｇ３に示すような関係となるように調整される。これにより、入力階調値が、設定されている色温度における最大階調値が等しい又は極めて近い場合は入力階調値を補正せず、更に入力階調値が最大階調値に近い程、補正の度合いを小さくするようにして入力階調値の値に応じて緩やかに補正できる。これにより、高輝度を維持しつつも輝度ムラ及び色ムラを色温度の設定に応じて適切に補正することが可能になる。
【００８１】
なお、図７のグラフでは、各色温度の設定に応じて入力階調値に対する補正の度合いが線型の関係を示すように表わされているが、線型の関係になるとは限らない。また、各直線Ｇ１，Ｇ２，Ｇ３の傾き、即ち補正係数の変化率の傾きは、図７に示されているように色温度の設定に応じて変化させ、入力階調値が充分小さい値、例えば６４である場合は、色温度の設定如何に拘わらず補正係数が１００％となるように調整することが望ましい。これらは、入力される階調値に対する補正係数の内容を色温度に応じて用意すること、または更に別のテーブルの用意すること等によって、入力階調値の各成分の最大階調値に対する割合に応じた調整方法を適宜最適化することにより実現することができる。
【００８２】
図７の説明図に示すように、設定されている色温度における最大階調値に応じて補正係数を調整することにより、入力階調値が最大階調値に近いほど補正の度合いを少なくし、入力階調値が充分に低い場合は完全に補正を行なうようにムラ補正部１３による補正を制御することが可能になる。
【００８３】
また、図７の説明図に示すように、色温度の設定に応じて色成分の強度比率が低くなる場合には、補正係数もそれに相当して低くなるように調整する。これにより、ある色成分の入力階調値が他の色成分の階調値よりも小さい値であっても、強度比率が低い場合は過度に補正しすぎないようにして輝度を維持することができる。
【００８４】
次に、本発明に係る表示装置１において補正係数が調整される具体的な処理の一例をフローチャートを用いて説明する。図８は、実施の形態１における表示装置１において補正係数が調整され、調整後の補正係数が加味された補正量が算出される処理手順の一例を示すフローチャートである。
【００８５】
ムラ補正部１３は、制御部１０からの制御信号により色温度に応じた各ＲＧＢ成分の最大階調値（Ｔｒ，Ｔｇ，Ｔｂ）を取得する（ステップＳ１０１）。ムラ補正部１３は、取得した各ＲＧＢ成分の最大階調値（Ｔｒ，Ｔｇ，Ｔｂ）に対応付けられている補正係数（Ｋｔｒ，Ｋｔｇ，Ｋｔｂ）を記憶部１６から読み出す（ステップＳ１０２）。ムラ補正部１３は、入力されている画像信号が表わす画素の各色成分の階調値（Ｒ’，Ｇ’，Ｂ’）、及び画素が含まれる領域に対応付けられている補正量（Ｃｒ，Ｃｇ，Ｃｒ）を記憶部１６から読み出す（ステップＳ１０３）。ムラ補正部１３は、入力されている各色成分の階調値に対応付けられている補正係数（Ｋｒ，Ｋｇ，Ｋｂ）を読み出す（ステップＳ１０４）。
【００８６】
次に、ムラ補正部１３は、各色成分毎にステップＳ１０４で読み出した補正係数（Ｋｒ，Ｋｇ，Ｋｂ）とステップＳ１０２で読み出した最大階調値に対応付けられている補正係数（Ｋｔｒ，Ｋｔｇ，Ｋｔｂ）との差分を算出する（ステップＳ１０５）。ステップＳ１０５によって算出された補正係数の差分が調整後の補正係数（Ｋｒ’，Ｋｇ’，Ｋｂ’）に相当する。ムラ補正部１３は、ステップＳ１０３で読み出した入力されている各色成分の階調値に対する補正量（Ｃｒ，Ｃｇ，Ｃｂ）にステップ１０５で算出した各色成分毎の補正係数（Ｋｒ’，Ｋｇ’，Ｋｂ’）を乗算する（ステップＳ１０６）。ステップＳ１０６の乗算結果は、調整後の補正係数が加味された補正量（Ｃｒ’，Ｃｇ’，Ｃｂ’）に相当する。
【００８７】
次に、ムラ補正部１３は、入力されている各色成分の階調値（Ｒ’，Ｇ’，Ｂ’）に基づいて、輝度の階調値に対応するムラ量を記憶部１６から読み出す（ステップＳ１０７）。ムラ補正部１３は、読み出したムラ量に対し、ステップＳ１０６の乗算結果である補正量（Ｃｒ’，Ｃｇ’，Ｃｂ’）を加算した場合に１００％を超えるか否かを判断する（ステップＳ１０８）。
【００８８】
ムラ補正部１３は、ムラ量に補正量を加算した場合１００％を超えると判断した場合（Ｓ１０８：ＹＥＳ）、１００％を超えないように補正量（Ｃｒ’，Ｃｇ’，Ｃｂ’）を再度調整し（ステップＳ１０９）、調整後の補正量（Ｃｒ”，Ｃｇ”，Ｃｂ”）に基づき入力されている各色成分の階調値（Ｒ’，Ｇ’，Ｂ’）を補正して出力し（ステップＳ１１０）、処理を終了する。
【００８９】
一方ムラ補正部１３は、ムラ量に補正量を加算した場合１００％を超えないと判断した場合（Ｓ１０８：ＮＯ）、ステップＳ１０６の乗算結果である調整後の補正量（Ｃｒ’，Ｃｇ’，Ｃｂ’）に基づいて入力されている各色成分の階調値（Ｒ’，Ｇ’，Ｂ’）を補正して出力し（Ｓ１１０）、処理を終了する。
【００９０】
ステップＳ１０８及びステップＳ１０９の処理は、当該画素のムラ量に表わされる階調値に対して必要な補正量を、調整後の補正係数が加味された補正量が超えてしまう場合は、超えない程度に補正量を調整する目的で行なう。例えばセンター輝度にあわせるように周辺部分の階調値を補正しようとしている場合に、センター輝度を超えるように階調値を補正する必要がないからである。
【００９１】
図８のフローチャートに示した処理を具体例に挙げて以下に説明する。具体例として、色温度が設定されてＲＧＢ夫々の階調値に対する最大階調値が（Ｔｒ，Ｔｇ，Ｔｂ）＝（２５５，１９２，１２８）である場合に、変換部１２に入力されるＲＧＢ夫々の階調値が（Ｒ，Ｇ，Ｂ）＝（２５５，２５５，２５５）であるとき、及び、（Ｒ，Ｇ，Ｂ）＝（１９２，１７０，１２８）であるときを挙げて説明する。なお、当該階調値（Ｒ，Ｇ，Ｂ）は図３乃至図５の説明図における領域Ａ１の領域に含まれる画素の階調値であるとする。
【００９２】
ステップＳ１０１において、各ＲＧＢ成分の最大階調値が（Ｔｒ，Ｔｇ，Ｔｂ）＝（２５５，１９２，１２８）であることがムラ補正部１３により取得される。さらにステップＳ１０２において、各色成分の最大階調値の補正係数が夫々（Ｋｔｒ，Ｋｔｇ，Ｋｔｂ）＝（０％，３２％，６６％）であることがムラ補正部１３により読み出される。
【００９３】
変換部１２に入力されるＲＧＢ夫々の階調値が（Ｒ，Ｇ，Ｂ）＝（２５５，２５５，２５５）である場合、変換部１２から出力されてムラ補正部１３に入力される階調値は（Ｒ’，Ｇ’，Ｂ’）＝（２５５，１９２，１２８）である。このとき、ムラ補正部１３により、入力されている階調値に対応づけられている補正量は（Ｃｒ，Ｃｇ，Ｃｂ）＝（１０％，１５％，２５％）であることがステップＳ１０３で読み出される。また、ムラ補正部１３により、入力されている階調値に対応付けられている補正係数は（Ｋｒ，Ｋｇ，Ｋｂ）＝（０％，３２％，６６％）であることがステップＳ１０４で読み出される。
【００９４】
次に、ステップＳ１０５において補正係数の差分が（Ｋｒ’，Ｋｇ’，Ｋｂ’）＝（０％，０％，０％）と算出され、ステップＳ１０３で読み出された補正量Ｃｒ，Ｃｇ，Ｃｂに乗算される。ステップＳ１０６の処理において、調整後の補正係数が加味された補正量は（Ｃｒ’，Ｃｇ’，Ｃｂ）＝（０％，０％，０％）となる。
【００９５】
このように、入力されている階調値が設定されている色温度における最大階調値である場合は補正量はゼロとなり、補正がされない。これにより、最大階調値であるにも拘らず補正が行なわれて逆に色ムラ、輝度ムラが発生してしまうことを回避することができる。
【００９６】
一方、変換部１２に入力される階調値が（Ｒ，Ｇ，Ｂ）＝（１９２，１７０，１２８）である場合、変換部１２から出力されてムラ補正部１３に入力される階調値は（Ｒ’，Ｇ’，Ｂ’）＝（１９２，１２８，６４）である。このとき、ムラ補正部１３により、入力されている階調値に対応付けられている補正量は（Ｃｒ，Ｃｇ，Ｃｂ）＝（５％，２０％，２０％）であることがステップＳ１０３で読み出される。また、ムラ補正部１３により、入力されている階調値に対応付けられている補正係数は（Ｋｒ，Ｋｇ，Ｋｂ）＝（３２％，６６％，１００％）であることがステップＳ１０４で読み出される。
【００９７】
次に、ステップＳ１０５において補正係数の差分が（Ｋｒ’，Ｋｇ’，Ｋｂ’）＝（３２％，３４％，３４％）と算出され、ステップＳ１０３で読み出された補正量Ｃｒ，Ｃｇ，Ｃｂに乗算される。ステップＳ１０６の処理により、調整後の補正係数が加味された補正量は（Ｃｒ’，Ｃｇ’，Ｃｂ’）＝（１．６％，６．８％，６．８％）となる。
【００９８】
このように、入力されている階調値及び設定されている色温度における最大階調値とに応じて補正係数が調整され、入力されている階調値が最大階調値よりも充分に少ない値である（最大階調値に対する割合が低い）場合は補正すべき階調値を完全に（１００％）補正するようにし、入力されている階調値が最大階調値に近い（最大階調値に対する割合が高い）場合は補正量を少なくすることができる。これにより、入力階調値が最大階調値に略等しい場合に補正を行なわないようにしていることから、色ムラ、輝度ムラの発生が顕現化してしまうことを回避しつつ、適切に色ムラ、輝度ムラを補正することが可能になる。
【００９９】
なお、図８のフローチャートに示した処理手順では、補正係数の差分をとることにより調整した。これにより、設定されている色温度における最大階調値に相当する階調値が入力された場合に補正されないようにすべく調整することができる。しかしながら、本発明に係る補正方法の詳細は図８のフローチャートに示した処理手順に限られない。例えば、図３に示したように階調値毎に記憶してある補正量に予め補正係数を加味させておき、即ち乗算しておき記憶しておく構成でもよい。この場合、図８のフローチャートに示した補正係数の調整処理を、補正係数が加味された補正量に対する処理に対応させて実行してもよい。このとき補正量に夫々補正係数を予め乗算しておく処理は制御部１０で行なってもムラ補正部１３で行なってもよい。
【０１００】
また、本発明の補正方法による補正は、入力階調値に対する補正の加減を、設定される色温度における最大階調値に入力階調値が等しい場合は補正を行なわず、最大階調値に入力階調値が近いほど補正する量を少なく調整し、更に入力階調値が充分に小さい値である場合はできる限り補正しようとすることを目的としている。図８のフローチャートに示した処理手順そのままでは、入力階調値が充分に低い場合に補正係数が１００％となるように制御することが難しい。したがって、入力階調値が所定値以下である場合、例えば、最大階調値が２５５、１９２，１２８の内のいずれであっても、入力階調値が６４以下である場合は補正係数は１００％となるように調整する処理を加えるようにしてもよい。
【０１０１】
（実施の形態２）
実施の形態２では、補正係数を調整する具体的な処理の一例として、別の処理手順について説明する。即ち、表示装置１のムラ補正部１３による補正係数の調整処理の具体的な方法の例示以外、ハードウェア構成、補正係数の調整の概要、及び補正方法の概要については、実施の形態１と同様の構成であるため詳細な説明を省略する。
【０１０２】
図９は、実施の形態１における表示装置１において補正係数が調整され、調整後の補正係数が加味された補正量が算出される処理手順の一例を示すフローチャートである。なお、補正係数が調整されて補正量が求められた後の補正処理については、実施の形態１における図８のフローチャートに示した処理手順と同様であるので同一の符号を付して詳細な説明を省略する。
【０１０３】
ムラ補正部１３は、制御部１０からの制御信号により色温度の設定に応じた各色成分の強度比率（Ｒｒ，Ｒｇ，Ｒｂ）を取得する（ステップＳ２０１）。なお、このとき、最大階調値（Ｔｒ，Ｔｇ，Ｔｂ）の比率を求めることによって強度比率を取得してもよい。ムラ補正部１３は、入力されている画像信号が表わす画素の各色成分の階調値（Ｒ’，Ｇ’，Ｂ’）、及び画素が含まれる領域に対応付けられている補正量（Ｃｒ，Ｃｇ，Ｃｒ）を記憶部１６から読み出す（ステップＳ２０２）。ムラ補正部１３は、入力されている各色成分の階調値に対応付けられている補正係数（Ｋｒ，Ｋｇ，Ｋｂ）を読み出す（ステップＳ２０３）。
【０１０４】
次に、ムラ補正部１３は、各色成分毎にステップＳ２０３で読み出した補正係数（Ｋｒ，Ｋｇ，Ｋｂ）に、夫々対応する強度比率（Ｒｒ，Ｒｇ，Ｒｂ）を乗算する（ステップＳ２０４）。ステップＳ２０４によって乗算された結果が調整後の補正係数（Ｋｒ’，Ｋｇ’，Ｋｂ’）に相当する。ムラ補正部１３は、ステップＳ２０２で読み出した入力されている各色成分の階調値に対する補正量（Ｃｒ，Ｃｇ，Ｃｂ）に、ステップＳ２０４における乗算結果である色成分毎の補正係数（Ｋｒ’，Ｋｇ’，Ｋｂ’）を乗算する（ステップＳ２０５）。ステップＳ２０５の乗算結果は、調整後の補正係数が加味された補正量（Ｃｒ’，Ｃｇ’，Ｃｂ’）に相当する。
【０１０５】
図９のフローチャートに示した処理を具体例を挙げて以下に説明する。具体例として、実施の形態１で示した具体例と同様の条件に当てはめて説明する。即ち、階調値（Ｒ，Ｇ，Ｂ）は図３乃至図５の説明図における領域Ａ１の領域に含まれる画素の階調値である。最大階調値（Ｔｒ，Ｔｇ，Ｔｂ）＝（２５５，１９２，１２８）、変換部１２に入力されるＲＧＢ夫々の階調値が（Ｒ，Ｇ，Ｂ）＝（２５５，２５５，２５５）、（Ｒ，Ｇ，Ｂ）＝（１９２，１７０，１２８）の場合である。この場合、色温度に応じた各色成分の強度比率は（Ｒｒ，Ｒｇ，Ｒｂ）＝（１，０．７５，０．５）である。
【０１０６】
ステップＳ２０１において、各色成分の強度比率が（Ｒｒ，Ｒｇ，Ｒｂ）＝（１，０．７５，０．５）であることが取得される。
【０１０７】
変換部１２に入力されるＲＧＢ夫々の階調値が（Ｒ，Ｇ，Ｂ）＝（２５５，２５５，２５５）である場合、変換部１２から出力されてムラ補正部１３に入力される階調値は（Ｒ’，Ｇ’，Ｂ’）＝（２５５，１９２，１２８）である。このとき、ムラ補正部１３により、入力されている階調値に対応づけられている補正量は（Ｃｒ，Ｃｇ，Ｃｂ）＝（１０％，１５％，２５％）であり、補正係数は（Ｋｒ，Ｋｇ，Ｋｂ）＝（０％，３２％，６６％）であることがステップＳ２０２及びステップＳ２０３で読み出される。
【０１０８】
次に、ステップＳ２０４において乗算結果が（Ｋｒ’，Ｋｇ’，Ｋｂ’）＝（０％，２４％，３３％）と算出され、ステップＳ２０２で読み出された補正量Ｃｒ，Ｃｇ，Ｃｂに乗算される。ステップＳ２０５の処理により、調整後の補正係数が加味された補正量は（Ｃｒ’，Ｃｇ’，Ｃｂ’）＝（０％，４．８％，６．６％）となる。これにより、階調値が補正量によって過度に補正されて輝度が無駄に低下しないように最大輝度を維持しつつも、適切に輝度ムラ、色ムラが補正される。
【０１０９】
一方、変換部１２に入力される階調値が（Ｒ，Ｇ，Ｂ）＝（１９２，１７０，１２８）である場合、変換部１２から出力されてムラ補正部１３に入力される階調値は（Ｒ’，Ｇ’，Ｂ’）＝（１９２，１２８，６４）である。このとき、ムラ補正部１３により、入力されている階調値に対応付けられている補正量は（Ｃｒ，Ｃｇ，Ｃｂ）＝（５％，２０％，２０％）であり、補正係数は（Ｋｒ，Ｋｇ，Ｋｂ）＝（３２％，６６％，１００％）であることがステップＳ２０２及びステップＳ２０３で読み出される。
【０１１０】
次に、ステップＳ２０４において乗算結果が（Ｋｒ’，Ｋｇ’，Ｋｂ’）＝（３２％，４９．５％，５０％）と算出され、ステップＳ２０２で読み出された補正量Ｃｒ，Ｃｇ，Ｃｂに乗算される。ステップＳ２０５の処理により、調整後の補正係数が加味された補正量は（Ｃｒ’，Ｃｇ’，Ｃｂ’）＝（１．６％，９．９％，１０％）となる。これにより、階調値が補正量によって過度に補正されて輝度が無駄に低下しないように輝度を維持しつつも、適切に輝度ムラ、色ムラが補正される。
【０１１１】
このように、入力されている階調値が小さい値である場合であっても、色温度における強度比も低い場合は補正量が少なくなるようにすることができる。これにより、過度に補正が行なわれないように輝度を維持しつつも、設定されている色温度に応じて適切に輝度ムラ、色ムラを行なうことができる。
【０１１２】
なお、実施の形態１及び２では複数の色成分の階調値に対する補正を例にあげたが、モノクロの画像信号における階調値に対する補正に適用してもよい。
【０１１３】
また、実施の形態１及び２では変換部１２及びムラ補正部１３等は夫々、処理の高速化が要求されていることからＡＳＩＣを構成する各モジュールによって実現する構成とした。しかしながら本発明は、コンピュータ装置に本発明に係る補正方法を実施するコンピュータプログラムをコンピュータ装置に実行させることにより、コンピュータ装置が接続しているモニタで表示する画像の色ムラ、輝度ムラを補正する構成でもよい。図１０は、本発明に係る補正方法をコンピュータ装置で実施する場合の構成を示すブロック図である。この場合、コンピュータ装置３は、ＣＰＵ、ＭＰＵ等の制御部３０と、ハードディスク（Hard Disk）、ＥＥＰＲＯＭ（Electronically Erasable and Programmable Read Only Memory）等の記憶部３１と、補正後の画像信号をモニタ４へ出力する出力部３２とを備える。
【０１１４】
記憶部３１には、制御部３０が生成する画像信号に対して本発明に係る補正方法を実施させるための制御プログラム３Ｐが記憶されている。制御プログラム３Ｐには、制御部３０を上述の表示装置１における変換部１２及びムラ補正部１３として機能させるためのモジュールである変換部３３及びムラ補正部３４が含まれている。また、記憶部３１に記憶される制御プログラム３Ｐは、図示しないＤＶＤ、ＣＤ−ＲＯＭ等の可搬型記録媒体に記録されており、制御部３０はＤＶＤ／ＣＤドライブ等の補助記憶部（図示せず）を介して可搬型記録媒体に記録されていた制御プログラム３Ｐを記憶部３１へ記憶するようにしてもよい。
【０１１５】
このような構成のコンピュータ装置３の制御部３０は、記憶部３１から制御プログラム３Ｐを読み出して実行し、制御プログラム３Ｐに含まれるムラ補正部３４の機能により、制御部３０が生成した画像信号が表わす各色成分の階調値を、色温度の設定に対応した各色成分の最大階調値に応じて調整した補正量又は補正係数によって補正し、色温度の設定に応じて適切な輝度ムラ、色ムラ補正を行なうことができる。コンピュータ装置３とモニタ４間に通信インタフェースを更に備え、制御プログラム３Ｐから表示装置１と同様の構成であるモニタ４内の変換部１２、ムラ補正部１３を制御するようにしてもよい。
【図面の簡単な説明】
【０１１６】
【図１】本発明に係る表示装置の構成を示すブロック図である。
【図２】本発明に係る補正方法の補正係数による補正量の加減のされ方を模式的に示す説明図である。
【図３】本発明に係る表示装置の記憶部に記憶されている補正量の例を模式的に示す説明図である。
【図４】本発明に係る表示装置の記憶部に記憶されている補正係数の例を模式的に示す説明図である。
【図５】本発明に係る表示装置の記憶部に記憶されているムラ量の例を模式的に示す説明図である。
【図６】本発明に係る補正方法によって補正される各色成分の階調値を模式的に示す説明図である。
【図７】本発明に係る補正方法によって調整される補正係数と入力階調値との関係を示すグラフである。
【図８】実施の形態１における表示装置において補正係数が調整され、調整後の補正係数が加味された補正量が算出される処理手順の一例を示すフローチャートである。
【図９】実施の形態２における表示装置において補正係数が調整され、調整後の補正係数が加味された補正量が算出される処理手順の一例を示すフローチャートである。
【図１０】本発明に係る補正方法をコンピュータ装置で実施する場合の構成を示すブロック図である。
【図１１】従来の輝度ムラに対する補正方法を概念的に示す説明図である。
【符号の説明】
【０１１７】
１  表示装置
１０  制御部
１２  変換部
１３  ムラ補正部
１６  記憶部
３０  制御部
３Ｐ  制御プログラム
３３  変換部
３４  ムラ補正部
【図１】
2008310261.tif 000003
【図３】
2008310261.tif 000004
【図４】
2008310261.tif 000005
【図５】
2008310261.tif 000006
【図７】
2008310261.tif 000007
【図８】
2008310261.tif 000008
【図９】
2008310261.tif 000009
【図１０】
2008310261.tif 000010
【図２】
2008310261.tif 000011
【図６】
2008310261.tif 000012
【図１１】
2008310261.tif 000013